(57)【要約】【課題】磁気共鳴現象を利用して収集された被検体内に関するデータから画像を再構成し、再構成した画像を表示する磁気共鳴イメージング装置および画像処理装置において、関連する複数の再構成画像について表示条件の変更を連動して行うことができるようにする。【解決手段】画像記憶部１３２が、補正前の再構成画像と補正後の再構成画像とをそれぞれスライス位置ごとに対応付けて記憶し、画像表示制御部１４５が、画像記憶部１３２により記憶された補正前の再構成画像または補正後の再構成画像のいずれか一方の再構成画像に関する表示条件が変更された場合に、変更後の表示条件を他方の再構成画像にも適用する。【選択図】        図３
2009072570.tif 000002
【特許請求の範囲】
【請求項１】
磁気共鳴現象を利用して収集された被検体内に関するデータから画像を再構成する画像再構成部と、
画像再構成部によって再構成された第一の再構成画像と、当該第一の再構成画像とは異なる条件でデータ収集または補正処理が行われた第二の再構成画像とをスライス位置ごとに対応付けて記憶する画像記憶部と、
前記画像記憶部により記憶された第二の再構成画像の表示条件が変更された場合に、変更後の表示条件を前記第一の再構成画像にも適用する画像表示制御部と、
を備える、磁気共鳴イメージング装置。
【請求項２】
前記第一の再構成画像は、磁場の乱れによる歪みの補正が行われる前の画像であり、前記第二の再構成画像は、磁場の乱れによる歪みの補正が行われた後の画像である、請求項１に記載の磁気共鳴イメージング装置。
【請求項３】
前記第一の再構成画像と前記第二の再構成画像とは、ダイナミック撮影における異なる時相での再構成画像である、請求項１に記載の磁気共鳴イメージング装置。
【請求項４】
前記第一の再構成画像と前記第二の再構成画像とは、マルチエコー法を用いた撮影における異なるエコー時間での再構成画像である、請求項１に記載の磁気共鳴イメージング装置。
【請求項５】
前記表示条件は、画像回転処理、画像反転処理、パンニング処理または拡大処理のいずれかを含む画像処理に関する条件、あるいは、ウィンドウレベル調整またはウィンドウ幅調整を含む輝度変換処理に関する条件であることを特徴とする請求項１に記載の磁気共鳴イメージング装置。
【請求項６】
前記表示条件は、画像回転処理、画像反転処理、パンニング処理または拡大処理のいずれかを含む画像処理に関する条件、あるいは、ウィンドウレベル調整またはウィンドウ幅調整を含む輝度変換処理に関する条件であることを特徴とする請求項２に記載の磁気共鳴イメージング装置。
【請求項７】
前記表示条件は、画像回転処理、画像反転処理、パンニング処理または拡大処理のいずれかを含む画像処理に関する条件、あるいは、ウィンドウレベル調整またはウィンドウ幅調整を含む輝度変換処理に関する条件であることを特徴とする請求項３に記載の磁気共鳴イメージング装置。
【請求項８】
前記表示条件は、画像回転処理、画像反転処理、パンニング処理または拡大処理のいずれかを含む画像処理に関する条件、あるいは、ウィンドウレベル調整またはウィンドウ幅調整を含む輝度変換処理に関する条件であることを特徴とする請求項４に記載の磁気共鳴イメージング装置。
【請求項９】
磁気共鳴現象を利用して収集された被検体内に関するデータから画像を再構成する画像再構成部と、
収集された前記データから再構成された第一の再構成画像と、当該第一の再構成画像とは異なる条件でデータ収集または補正処理が行われた第二の再構成画像とをスライス位置ごとに対応付けて記憶する画像記憶部と、
前記画像記憶部により記憶された第一の再構成画像の表示条件が変更された場合に、変更後の表示条件を前記第二の再構成画像にも適用する画像表示制御部と、
を備える、磁気共鳴イメージング装置。
【請求項１０】
前記第一の再構成画像は、磁場の乱れによる歪みの補正が行われる前の画像であり、前記第二の再構成画像は、磁場の乱れによる歪みの補正が行われた後の画像である、請求項９に記載の磁気共鳴イメージング装置。
【請求項１１】
前記第一の再構成画像と前記第二の再構成画像とは、ダイナミック撮影における異なる時相での再構成画像である、請求項９に記載の磁気共鳴イメージング装置。
【請求項１２】
前記第一の再構成画像と前記第二の再構成画像とは、マルチエコー法を用いた撮影における異なるエコー時間での再構成画像である、請求項９に記載の磁気共鳴イメージング装置。
【請求項１３】
前記表示条件は、画像回転処理、画像反転処理、パンニング処理または拡大処理のいずれかを含む画像処理に関する条件、あるいは、ウィンドウレベル調整またはウィンドウ幅調整を含む輝度変換処理に関する条件であることを特徴とする請求項９に記載の磁気共鳴イメージング装置。
【請求項１４】
前記表示条件は、画像回転処理、画像反転処理、パンニング処理または拡大処理のいずれかを含む画像処理に関する条件、あるいは、ウィンドウレベル調整またはウィンドウ幅調整を含む輝度変換処理に関する条件であることを特徴とする請求項１０に記載の磁気共鳴イメージング装置。
【請求項１５】
前記表示条件は、画像回転処理、画像反転処理、パンニング処理または拡大処理のいずれかを含む画像処理に関する条件、あるいは、ウィンドウレベル調整またはウィンドウ幅調整を含む輝度変換処理に関する条件であることを特徴とする請求項１１に記載の磁気共鳴イメージング装置。
【請求項１６】
前記表示条件は、画像回転処理、画像反転処理、パンニング処理または拡大処理のいずれかを含む画像処理に関する条件、あるいは、ウィンドウレベル調整またはウィンドウ幅調整を含む輝度変換処理に関する条件であることを特徴とする請求項１２に記載の磁気共鳴イメージング装置。
【請求項１７】
被検体内に関するデータから再構成された第一の再構成画像と、当該第一の再構成画像とは異なる条件でデータ収集または補正処理が行われた第二の再構成画像とをスライス位置ごとに対応付けて記憶する画像記憶部と、
前記画像記憶部により記憶された第一の再構成画像または第二の再構成画像のいずれか一方の再構成画像に関する表示条件が変更された場合に、変更後の表示条件を他方の再構成画像にも適用する画像表示制御部と、
を備える、画像処理装置。
【発明の詳細な説明】
【技術分野】
【０００１】
この発明は、磁気共鳴現象を利用して収集された被検体内に関するデータから画像を再構成し、再構成した画像を表示する磁気共鳴イメージング装置および画像処理装置に関し、特に、再構成画像を表示する際の表示条件の変更に関する。
【背景技術】
【０００２】
従来、磁気共鳴イメージング装置では、撮影領域中に磁場の乱れが存在した場合、再構成された画像に歪みが表示される。一般的には、磁気共鳴イメージング装置では、所定の方法で磁場の乱れを測定して、歪みの補正を行った画像と歪みの補正を行う前の画像とをそれぞれ再構成している。そして、補正後の再構成画像は、診断時に用いられる通常の画像として用いられ、一方、補正前の再構成画像は、撮像位置を正しく表す画像として、スキャンプラン時の位置決め画像などに用いられる（たとえば、特許文献１参照）。
【０００３】
【特許文献１】特開２００５−１１８４６１号公報
【発明の開示】
【発明が解決しようとする課題】
【０００４】
しかしながら、従来の磁気共鳴イメージング装置では、診断時に補正後の再構成画像に対して各種画像処理（画像回転、画像反転、パンニング処理など）や輝度変換処理（ウィンドウレベル調整、ウィンドウ幅調整など）などを行うことによって表示条件の変更が行われても、補正前の再構成画像には同様の変更が反映されない。そのため、スキャンプランなどで補正前の再構成画像を用いる際には、再度同様の変更を行う必要があり、非常に手間がかかるという問題があった。
【０００５】
この発明は、上述した従来技術による問題点を解消するためになされたものであり、関連する複数の再構成画像について表示条件の変更を連動して行うことができる磁気共鳴イメージング装置および画像処理装置を提供することを目的とする。
【課題を解決するための手段】
【０００６】
上述した課題を解決し、目的を達成するため、本発明の一形態にかかる磁気共鳴イメージング装置は、磁気共鳴現象を利用して収集された被検体内に関するデータから画像を再構成する画像再構成部と、画像再構成部によって再構成された第一の再構成画像と、当該第一の再構成画像とは異なる条件でデータ収集または補正処理が行われた第二の再構成画像とをスライス位置ごとに対応付けて記憶する画像記憶部と、前記画像記憶部により記憶された第二の再構成画像の表示条件が変更された場合に、変更後の表示条件を前記第一の再構成画像にも適用する画像表示制御部と、を備える。
【０００７】
また、本発明の他の態様にかかる磁気共鳴イメージング装置は、磁気共鳴現象を利用して収集された被検体内に関するデータから画像を再構成する画像再構成部と、収集された前記データから再構成された第一の再構成画像と、当該第一の再構成画像とは異なる条件でデータ収集または補正処理が行われた第二の再構成画像とをスライス位置ごとに対応付けて記憶する画像記憶部と、前記画像記憶部により記憶された第一の再構成画像の表示条件が変更された場合に、変更後の表示条件を前記第二の再構成画像にも適用する画像表示制御部と、を備える。
【０００８】
また、本発明の他の態様にかかる画像処理装置は、被検体内に関するデータから再構成された第一の再構成画像と、当該第一の再構成画像とは異なる条件でデータ収集または補正処理が行われた第二の再構成画像とをスライス位置ごとに対応付けて記憶する画像記憶部と、前記画像記憶部により記憶された第一の再構成画像または第二の再構成画像のいずれか一方の再構成画像に関する表示条件が変更された場合に、変更後の表示条件を他方の再構成画像にも適用する画像表示制御部と、を備える。
【発明の効果】
【０００９】
本発明によれば、関連する複数の再構成画像について表示条件の変更を連動して行うことができるという効果を奏する。
【発明を実施するための最良の形態】
【００１０】
以下に添付図面を参照して、この発明に係る磁気共鳴イメージング装置および画像処理装置の好適な実施例を詳細に説明する。なお、以下では、磁気共鳴イメージング装置を「ＭＲＩ（Magnetic Resonance Imaging）装置」と呼び、ＲＦ（Radio Frequency）パルスが照射されることにより被検体から発せられる磁気共鳴信号を「ＭＲ（Magnetic Resonance）信号」と呼ぶ。
【実施例】
【００１１】
まず、本実施例に係るＭＲＩ装置による表示条件の連動変更の概念について説明する。図１は、本実施例に係るＭＲＩ装置による表示条件の連動変更の概念を説明するための説明図である。
【００１２】
本実施例に係るＭＲＩ装置は、被検体に対してＲＦパルスを照射し、それにより被検体から発せられるＭＲ信号を検出することによって被検体内に関するデータを収集し、収集したデータから画像を再構成するものであり、画像を再構成する際には、磁場の乱れによる歪みの補正を行わずに再構成した画像（以下、「補正前画像」と呼ぶ）と、磁場の乱れによる歪みの補正を行って再構成した画像（以下、「補正後画像」と呼ぶ）とをそれぞれ再構成する。
【００１３】
そして、本実施例に係るＭＲＩ装置では、再構成された補正前画像および補正後画像をスライス位置ごとに対応付けて記憶しておき、補正後画像に対して表示条件の変更が行われた場合には、当該画像に対応付けられている再構成画像を表示する際にも自動的に同じ表示条件を適用するようにしている。
【００１４】
具体的には、このＭＲＩ装置は、同図（ａ）に示すように、収集したデータから画像の再構成をする際に、磁場の乱れによる歪みの補正を行わずに再構成した補正前画像と、磁場の乱れによる歪みの補正を行って再構成した補正後画像とをそれぞれスライス位置ごとに対応付けて記憶する。
【００１５】
そして、たとえば同図（ｂ）に示すように、操作者によって補正後画像に対する輝度の調整が行われたとする。その場合、ＭＲＩ装置は、補正前画像の表示要求を受け付けると、同図（ｃ）に示すように、補正後画像に対して行われた輝度の調整に基づいて、同じ輝度となるように表示条件を変更したうえで補正前画像を表示する。
【００１６】
このように、本実施例に係るＭＲＩ装置では、補正前の再構成画像と補正後の再構成画像とをそれぞれスライス位置ごとに対応付けて記憶し、スキャンプランなどで補正後の再構成画像に関する表示条件の変更を受け付けた場合には、変更後の表示条件を、補正前の再構成画像を表示する際にも適用するので、関連する複数の再構成画像について表示条件の変更を連動して行うことができる。
【００１７】
以下、上述したＭＲＩ装置の構成および処理手順について、図２、３および４を参照しながら詳細に説明してゆく。図２は、本実施例に係るＭＲＩ装置の全体構成を示す機能ブロック図であり、図３は、本実施例に係る画像処理装置の構成を示す機能ブロック図であり、図４は、本実施例に係る画像処理装置の処理手順を示すフローチャートである。
【００１８】
最初に、図２を用いて、本実施例に係るＭＲＩ装置の全体構成を説明する。同図に示すように、このＭＲＩ装置１０は、静磁場磁石１と、傾斜磁場コイル２と、ＲＦコイル３と、静磁場電源４と、傾斜磁場電源５と、送信器６と、受信器７と、シーケンス制御装置８と、画像処理装置１００とから構成される。
【００１９】
静磁場磁石１は、筒状に形成された磁石であり、静磁場電源４から供給される電流により、被検体Ｐが配置される筒内部の空間に静磁場Ｈ０を発生させる。傾斜磁場コイル２は、静磁場磁石１の内側に配設された３対のコイルであり、傾斜磁場電源５から供給される電流により、静磁場磁石１の内側にｘ，ｙ，ｚの３方向に沿った傾斜磁場を発生させる。
【００２０】
ＲＦコイル３は、静磁場磁石１の開口部内で被検体Ｐに対向するように配設された受信コイルであり、送信器６から送信されるＲＦパルスを被検体Ｐに照射し、また、励起によって被検体Ｐの水素原子核から放出されるＭＲ信号を受信する。静磁場電源４は、静磁場磁石１に電流を供給する電源であり、傾斜磁場電源５は、シーケンス制御装置８からの指示に基づいて、傾斜磁場コイル２に電流を供給する電源である。
【００２１】
送信器６は、シーケンス制御装置８からの指示に基づいてＲＦコイル３にＲＦパルスを送信する装置であり、受信器７は、ＲＦコイル３により受信されたＭＲ信号を検出し、そのＭＲ信号をデジタル化することによって生データを生成する。受信器７は、ＭＲ信号から生データを生成すると、生成した生データをシーケンス制御装置８に対して送信する。
【００２２】
シーケンス制御装置８は、画像処理装置１００から送信されるシーケンス情報に基づいて、傾斜磁場電源５、送信器６および受信器７をそれぞれ駆動することによって、被検体Ｐの撮影を行う装置である。ここで、シーケンス情報とは、傾斜磁場電源５が傾斜磁場コイル２に供給する電源の強さや電源を供給するタイミング、送信器６がＲＦコイル３に送信するＲＦパルスの強さやＲＦパルスを送信するタイミング、受信器７がＭＲ信号を検出するタイミングなど、撮影を行う際の手順を定義した情報である。そして、シーケンス制御装置８は、被検体Ｐの撮影を行った結果、受信器７から生データが送信されると、その生データを画像処理装置１００に対して転送する。
【００２３】
画像処理装置１００は、操作者からの操作に基づいてＭＲＩ装置１０の制御を行うとともに、シーケンス制御装置８から送信される生データをｋ空間データに変換し、そのｋ空間データから画像を再構成する装置である。
【００２４】
なお、図２では、図示を省略しているが、このＭＲＩ装置１０は、被検体Ｐを載せる天板と、天板を支持する寝台を有しており、ｚ方向に沿って天板を移動することによって、被検体Ｐの複数部位の画像を撮影することができるように構成されている。この天板の移動は、手動または自動で行われる。
【００２５】
次に、図３を用いて、図２に示した画像処理装置１００の構成について説明する。同図に示すように、この画像処理装置１００は、入力部１１０と、表示部１２０と、記憶部１３０と、制御部１４０とを有する。
【００２６】
入力部１１０は、操作者による各種入力を受け付けるための入力手段であり、マウスやトラックボールなどのポインティングデバイスやキーボードなどにより実現され、後述する表示部１２０と協働することによって、各種操作を受け付けるためのユーザインタフェースを操作者に対して提供する。
【００２７】
表示部１２０は、撮影画像など各種情報を表示するための出力手段であり、ＣＲＴ（Cathode Ray Tube）ディスプレイや液晶ディスプレイなどのモニタ装置により実現される。
【００２８】
記憶部１３０は、各種情報を記憶する記憶手段であり、収集データ記憶部１３１と、画像記憶部１３２とを有する。収集データ記憶部１３１は、シーケンス制御装置８から送信された生データを記憶する記憶部である。
【００２９】
画像記憶部１３２は、後述する画像再構成部１４３により再構成された再構成画像を記憶する記憶部である。この画像記憶部１３２は、磁場の乱れによる歪みの補正を行わずに再構成された補正前画像と、磁場の乱れによる歪みの補正が行われて再構成された補正後画像とをそれぞれスライス位置ごとに対応付けて記憶する。
【００３０】
ここで、画像記憶部１３２に記憶される再構成画像には、画像ごとにそれぞれ付帯情報が付与されている。この付帯情報には、再構成画像に関する各種属性情報や、当該再構成画像を表示する際に用いられる表示設定情報などが含まれており、ここでいう表示設定情報には、画像処理（画像回転、画像反転、パンニング処理、拡大処理など）や輝度変換処理（ウィンドウレベル調整、ウィンドウ幅調整など）など、画像表示の調整に関する各種処理を制御するためのパラメータ値が設定されている。これらのパラメータ値が、各画像を表示する際の表示条件となる。
【００３１】
制御部１４０は、ＯＳ（Operating System）などの制御プログラム、各種の処理手順などを規定したプログラムおよび所要データを格納するための内部メモリを有し、これらによって種々の処理を実行する処理部であり、主制御部１４１と、シーケンス制御部１４２と、画像再構成部１４３と、画像表示調整部１４４と、画像表示制御部１４５とを有する。
【００３２】
主制御部１４１は、入力部１１０を介して操作者から各種指示や各種要求を受け付け、受け付けた指示や要求に基づいて各機能部の動作を制御する処理部である。具体的には、この主制御部１４１は、操作者から撮影指示を受け付けた場合には、指示された撮影条件に基づいてシーケンス情報を生成し、シーケンス制御部１４２に対して送信する。このシーケンス情報は、シーケンス制御部１４２を介してシーケンス制御装置８に送信され、シーケンス制御装置８によって撮影が行われる際に用いられる。
【００３３】
また、主制御部１４１は、たとえば診断時などに、画像記憶部１３２により記憶された補正後画像に関する表示条件の変更を受け付ける。たとえば、主制御部１４１は、補正後画像に対する画像回転、画像反転、パンニング処理および拡大処理や、ウィンドウレベル調整、ウィンドウ幅調整など、画像表示に関する各種の調整を受け付ける。
【００３４】
シーケンス制御部１４２は、シーケンス制御装置８との間でやり取りされるデータの送受信を制御する処理部である。具体的には、このシーケンス制御部１４２は、主制御部１４１からシーケンス情報が送信されると、そのシーケンス情報をシーケンス制御装置８に対して送信する。そして、シーケンス制御装置８から生データが送信されると、シーケンス制御部１４２は、送信された生データを収集データ記憶部１３１に記憶させる。
【００３５】
画像再構成部１４３は、収集データ記憶部１３１に記憶された生データに基づいて画像を再構成する処理部である。具体的には、この画像再構成部１４３は、主制御部１４１による制御のもと、収集データ記憶部１３１に記憶された生データを読み出してｋ空間データに変換し、そのｋ空間データに対してフーリエ変換処理などの所定の画像再構成処理を行うことによって、２次元または３次元の画像を再構成する。
【００３６】
ここで、画像再構成部１４３は、画像を再構成する際には、磁場の乱れによる歪みの補正を行わずに再構成した補正前画像と、当該補正を行って再構成した補正後画像とをそれぞれ再構成する。そして、画像再構成部１４３は、再構成した補正前画像と補正後画像とを同じスライス位置ごとに対応付けて画像記憶部１３２に記憶させる。
【００３７】
かかる補正前画像と補正後画像との対応付けは、たとえば、それぞれの再構成画像に共通の識別子を付与することによって行う。または、各再構成画像にユニークな識別子が付与されているような場合には、再構成画像ごとに、対応する再構成画像の識別子をさらに付与することによって、再構成画像を対応付けるようにしてもよい。
【００３８】
画像表示調整部１４４は、主制御部１４１により受け付けられた補正後の画像に関する表示条件の変更に基づいて、画像記憶部１３２により記憶された補正前画像の付帯情報を更新する処理部である。具体的には、この画像表示調整部１４４は、主制御部１４１によって補正後画像の画像表示に関する表示条件の変更が受け付けられると、画像記憶部１３２を参照し、当該補正後画像の付帯情報に含まれる表示設定情報を、変更後の表示条件に基づいて更新する。
【００３９】
補正後画像の付帯情報を更新するとともに、画像表示調整部１４４は、当該補正後画像に対応付けられている補正前画像についても付帯情報に含まれる表示設定情報も同様に更新する。ここで、補正前画像の付帯情報も補正後画像の付帯情報と同様に更新しておくことにより、後にスキャンプランなどで補正前画像の表示が要求された際に、補正後画像に対して行われた表示条件の変更が適用されて補正後画像が表示される。
【００４０】
画像表示制御部１４５は、画像記憶部１３２により記憶された再構成画像の表示部１２０への表示を制御する処理部である。具体的には、この画像表示制御部１４５は、主制御部１４１によって再構成画像の表示要求が受け付けられると、要求された再構成画像を画像記憶部１３２から読み出し、読み出した再構成画像を表示部１２０に表示する。
【００４１】
ここで、再構成画像を表示する際に、画像表示制御部１４５は、読み出した再構成画像の付帯情報を参照し、その付帯情報に含まれる表示設定情報に基づいて画像処理（画像回転、画像反転、パンニング処理、拡大処理など）や輝度変換処理（ウィンドウレベル調整、ウィンドウ幅調整など）など、画像表示の調整に関する処理を行ったうえで、当該再構成画像を表示する。
【００４２】
これにより、たとえばスキャンプランなどにおいて補正前画像の表示要求が受け付けられた場合に、当該補正前画像の付帯情報が画像表示調整部１４４によってすでに更新されていれば、更新後のパラメータ値に基づいて画像処理や輝度変換処理が行われたうえで補正前画像が表示される。すなわち、画像記憶部１３２において当該補正前画像に対応付けられている補正後画像についてすでに表示条件の変更が行われていれば、同様の変更が適用されたうえで、同じスライス位置の補正前画像が表示されることになる。
【００４３】
なお、ここでは、補正後画像に関する表示条件の変更が受け付けられたタイミングで、画像表示調整部１４４が、当該補正後画像に対応付けられている補正前画像の付帯情報を更新しておき、補正前画像の表示要求が受け付けられた際に、画像表示制御部１４５が、すでに更新されている付帯情報に基づいて、要求された補正前画像を表示することとした。
【００４４】
しかし、補正後画像に関する表示条件の変更が受け付けられたタイミングでは補正前画像の付帯情報の更新を行わずに、補正前画像の表示要求が受け付けられた際に、画像表示制御部１４５が、画像記憶部１３２を参照して当該補正前画像に対応付けられている補正後画像を特定し、その補正後画像の付帯情報に基づいて、要求された補正前画像の表示条件を変更するようにしてもよい。
【００４５】
次に、図４を用いて、本実施例に係る画像処理装置１００の処理手順について説明する。同図に示すように、この画像処理装置１００では、まず、シーケンス制御部１４２が生データを収集する（ステップＳ１０１）。
【００４６】
続いて、画像再構成部１４３が補正前画像および補正後画像を再構成し（ステップＳ１０２およびＳ１０３）、再構成した補正前画像および補正後画像をスライス位置ごとに対応付けて画像記憶部１３２に記憶させる（ステップＳ１０４）。
【００４７】
そして、主制御部１４１が補正後画像に関する表示条件の変更を受け付けた場合には（ステップＳ１０５，Ｙｅｓ）、画像表示調整部１４４が、変更後の表示条件に基づいて、補正前画像および補正後画像の付帯情報を更新する（ステップＳ１０６）。
【００４８】
また、主制御部１４１が補正前画像の表示要求を受け付けた場合には（ステップＳ１０７，Ｙｅｓ）、画像表示制御部１４５が、要求された補正前画像を画像記憶部１３２から読み出し、付帯情報に含まれる表示設定情報に基づいて表示条件を変更したうえで、当該補正前画像を表示する（ステップＳ１０８）。
【００４９】
上述してきたように、本実施例では、画像記憶部１３２が、補正前画像と補正後画像とをそれぞれスライス位置ごとに対応付けて記憶し、主制御部１４１が、補正後画像に関する表示条件の変更を受け付け、画像表示調整部１４４が、主制御部１４１により受け付けられた表示条件の変更に基づいて、補正前画像および補正後画像の付帯情報を更新する。そして、主制御部１４１により補正前の表示要求が受け付けられた場合には、画像表示制御部１４５が、画像表示調整部１４４により更新された付帯情報に基づいて表示条件を変更したうえで補正前画像を表示する。したがって、関連する複数の再構成画像について表示条件の変更を連動して行うことができる。
【００５０】
なお、本実施例では、補正後画像の表示条件が変更された場合に、変更後の表示条件を補正前画像にも適用する場合について説明したが、逆に、補正前画像の表示条件が変更された場合に、変更後の表示条件を補正後画像に適用するようにしてもよい。
【００５１】
図５は、補正前画像に対する表示条件の変更を補正後画像に適用する場合の処理手順を示すフローチャートである。同図に示すように、この場合には、図４に示した処理手順におけるステップＳ１０１と同様に、まず、シーケンス制御部１４２が生データを収集する（ステップＳ２０１）。
【００５２】
続いて、ステップＳ１０２〜Ｓ１０４と同様に、画像再構成部１４３が補正前画像および補正後画像を再構成し（ステップＳ２０２およびＳ２０３）、再構成した補正前画像および補正後画像をスライス位置ごとに対応付けて画像記憶部１３２に記憶させる（ステップＳ２０４）。
【００５３】
そして、主制御部１４１が補正前画像に関する表示条件の変更を受け付けられた場合には（ステップＳ２０５，Ｙｅｓ）、画像表示調整部１４４が、変更後の表示条件に基づいて、補正前画像および補正後画像の付帯情報を更新する（ステップＳ２０６）。
【００５４】
また、主制御部１４１が補正後画像の表示要求を受け付けた場合には（ステップＳ２０７，Ｙｅｓ）、画像表示制御部１４５が、要求された補正後画像を画像記憶部１３２から読み出し、付帯情報に含まれる表示設定情報に基づいて表示条件を変更したうえで、当該補正前画像を表示する（ステップＳ２０８）。
【００５５】
このように、主制御部１４１が、補正前画像に関する表示条件の変更を受け付け、画像表示調整部１４４が、主制御部１４１により受け付けられた表示条件の変更に基づいて、補正前画像および補正後画像の付帯情報を更新する。そして、主制御部１４１により補正後の表示要求が受け付けられた場合には、画像表示制御部１４５が、画像表示調整部１４４により更新された付帯情報に基づいて表示条件を変更したうえで補正後画像を表示する。したがって、関連する複数の再構成画像について表示条件の変更を連動して行うことができる。
【００５６】
以上のように、画像記憶部１３２によって記憶された補正前画像または補正後画像のいずれか一方の再構成画像に関する表示条件が変更された場合に、変更後の表示条件を他方の再構成画像にも適用することによって、表示条件の変更を双方向に適用することが可能になり、表示条件の変更にかかる手間をさらに省略することができるようになる。
【００５７】
例えば、ＭＲＩ装置１０において、撮影前にスライス位置を設定するための画面（以下、「収集画面」と呼ぶ）と、撮像された画像を確認するための画面（以下、「表示画面」と呼ぶ）とがそれぞれ用いられており、収集画面には位置決め画像として補正前画像が表示され、表示画面には確認用の画像として補正後画像が表示される場合を考える。
【００５８】
その場合、例えば、操作者が、収集画面で位置決め画像にスライス位置を設定して撮像を行い、その結果得られた画像を表示画面で確認し、その後、収集画面に戻って、表示画面で確認した画像を位置決め画像として次の撮像を行う、というように撮像を繰り返して行うことも可能である。
【００５９】
このような場合に、上記で説明したように補正前画像と補正後画像との間で双方向に表示条件を連動させれば、画面ごとに表示条件の変更を行う必要がなくなり、効率よく撮像を繰り返すことができるようになる。これにより、一連の撮像にかかる総時間を短縮することが可能になる。
【００６０】
また、本実施例では、磁場の乱れによる歪みの補正前および補正後の再構成画像について、表示条件を連動して変更する場合について説明したが、本発明はこれに限られるわけではなく、他の再構成画像の組み合わせについても同様に適用することができる。
【００６１】
たとえば、動的に撮影を行うダイナミックＭＲＩによって撮影（ダイナミック撮影）された時系列の再構成画像をそれぞれ対応付けて記憶しておき、基準となる時相の再構成画像に関する表示条件が変更された場合に、スライス位置が同じ他の時相の再構成画像に関する表示条件を連動して変更するようにしてもよい。
【００６２】
このとき、時相ごとに複数のスライスが撮影されているような場合には、さらに、同じ時相の他のスライス、および、他の時相の他のスライスに関する表示条件を連動して変更するようにしてもよい。
【００６３】
または、天板を連続的に移動させながら撮影を行うムービングベッド法によって撮影されたセグメントが異なる再構成画像をそれぞれ対応付けて記憶しておき、基準となるセグメントの再構成画像に関する表示条件が変更された場合に、スライス位置が同じ他のセグメントの再構成画像に関する表示条件を連動して変更するようにしてもよい。
【００６４】
または、心電同期撮影や呼吸同期撮影によって撮影された時相が異なる再構成画像をそれぞれ対応付けて記憶しておき、たとえば、基準となる時相の再構成画像に関する表示条件が変更された場合に、スライス位置が同じ他の時相の再構成画像に関する表示条件を連動して変更するようにしてもよい。
【００６５】
または、マルチエコー法を用いた撮影によって撮影されたエコー時間が異なる再構成画像をそれぞれ対応付けて記憶しておき、たとえば、１エコー目の再構成画像に関する表示条件が変更された場合に、スライス位置が同じ２エコー目以降の再構成画像に関する表示条件を連動して変更するようにしてもよい。
【００６６】
また、本実施例では、ＭＲＩ装置について説明したが、本発明はこれに限られるものではなく、たとえば、各種画像を保存する画像サーバ装置と、画像を表示するクライアント装置とがネットワークを介して接続された画像表示システム（ＰＡＣＳ（Picture Archiving and Communication System）など）にも同様に適用することができる。
【００６７】
この場合、例えば、画像サーバ装置が、補正前画像と補正後画像とをそれぞれスライス位置ごとに対応付けて記憶するとともに、補正後画像に関する表示条件の変更を受け付ける。そして、クライアント装置が、補正前画像の表示要求を受け付けた場合に、画像サーバ装置によって受け付けられた補正後画像に関する表示条件の変更を適用したうえで、補正前画像を表示する。
【産業上の利用可能性】
【００６８】
以上のように、本発明に係る磁気共鳴イメージング装置および画像処理装置は、互いに関連する複数の画像が再構成される場合に有用であり、特に、関連する複数の画像に対して表示条件を連動して変更したい場合に適している。
【図面の簡単な説明】
【００６９】
【図１】本実施例に係るＭＲＩ装置による表示条件の連動変更の概念を説明するための説明図である。
【図２】本実施例に係るＭＲＩ装置の全体構成を示す機能ブロック図である。
【図３】本実施例に係る画像処理装置の構成を示す機能ブロック図である。
【図４】本実施例に係る画像処理装置の処理手順を示すフローチャートである。
【図５】補正前画像に対する表示条件の変更を補正後画像に適用する場合の処理手順を示すフローチャートである。
【符号の説明】
【００７０】
１    静磁場磁石
２    傾斜磁場コイル
３    ＲＦコイル
４    静磁場電源
５    傾斜磁場電源
６    送信器
７    受信器
８    シーケンス制御装置
１０    ＭＲＩ装置（磁気共鳴イメージング装置）
１００    画像処理装置
１１０    入力部
１２０    表示部
１３０    記憶部
１３１    収集データ記憶部
１３２    画像記憶部
１４０    制御部
１４１    主制御部
１４２    シーケンス制御部
１４３    画像再構成部
１４４    画像表示調整部
１４５    画像表示制御部
【図１】
2009072570.tif 000003
【図２】
2009072570.tif 000004
【図３】
2009072570.tif 000005
【図４】
2009072570.tif 000006
【図５】
2009072570.tif 000007